(57)【要約】  ３台以上のＭＡＧを短時間に切替えても、登録通知メッセージの到達順序の逆転問題を解決可能なプロキシモバイルＩＰシステムを提供する。モビリティアンカー（３）は、登録通知メッセージによって前回登録した時刻の記録及び管理を行いかつ登録通知メッセージにてプロキシモバイルＩＰ通信におけるプロキシモバイルＩＰ登録を行うプロキシモバイルＩＰ登録手段（３１）と連携した前回登録時刻記録・管理手段（３２）を有する。モビリティアンカー（３）は、登録通知メッセージを受信した時に前回登録時刻記録・管理手段（３２）に前回記録された登録通知メッセージを受信した時刻との差が設定時間以内でかつアクセスゲートウェイ（２）が変わった場合に、アクセスゲートウェイ（２）の登録を維持したまま、登録通知メッセージの順序逆転の可能性判定を行う。（図１）
2009031617.tif 000002
【特許請求の範囲】
【請求項１】
モビリティアンカーが、
アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行うプロキシモバイルＩＰ登録手段と、
前記登録通知メッセージによって前回登録した時刻の記録及び管理を行なう前回登録時刻記録・管理手段と、を備え、
前記モビリティアンカーは、新たに登録通知メッセージを受信した時に、前記前回登録時刻記録・管理手段に記録された登録通知メッセージを受信した時刻との差（登録通知メッセージの受信間隔）が予め設定した時間以内であり、かつ、前記アクセスゲートウェイが変わった場合に、前記アクセスゲートウェイの登録を維持したまま、前記登録通知メッセージの順序逆転の可能性判定を行うことを特徴とするプロキシモバイルＩＰシステム。
【請求項２】
アクセスゲートウェイが、前記移動端末の接続状態の検出を行なう端末接続状態確認手段を備え、
前記アクセスゲートウェイは、前記モビリティアンカーから、生存時間０の登録成功応答を受信した場合に、前記移動端末の端末接続状態確認を行う請求項１記載のプロキシモバイルＩＰシステム。
【請求項３】
前記端末接続状態確認手段は、ＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使って前記移動端末の応答を検出し、その検出結果に基づいて前記移動端末の接続状態の検出を行う請求項２記載のプロキシモバイルＩＰシステム。
【請求項４】
前記モビリティアンカーは、前記登録通知メッセージの受信間隔が前記予め設定した時間よりも長い場合、順序逆転の可能性が無いと判定し、新しい登録通知メッセージを用いて前記プロキシモバイルＩＰ登録の処理を行う請求項１から請求項３のいずれか記載のプロキシモバイルＩＰシステム。
【請求項５】
移動端末の接続状態の検出を行なう端末接続状態確認手段を備え、
モビリティアンカーから、生存時間０の登録成功応答を受信した場合に、前記移動端末の端末接続状態確認を行うアクセスゲートウェイ。
【請求項６】
前記端末接続状態確認手段は、ＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使って前記移動端末の応答を検出し、その検出結果に基づいて前記移動端末の接続状態の検出を行う請求項５記載のアクセスゲートウェイ。
【請求項７】
アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行うプロキシモバイルＩＰ登録手段と、
前記登録通知メッセージによって前回登録した時刻の記録及び管理を行なう前回登録時刻記録・管理手段と、を備え、
新たに登録通知メッセージを受信した時に、前記前回登録時刻記録・管理手段に記録された登録通知メッセージを受信した時刻との差（登録通知メッセージの受信間隔）が予め設定した時間以内であり、かつ、前記アクセスゲートウェイが変わった場合に、前記アクセスゲートウェイの登録を維持したまま、前記登録通知メッセージの順序逆転の可能性判定を行うモビリティアンカー。
【請求項８】
前記登録通知メッセージの受信間隔が前記予め設定した時間よりも長い場合、順序逆転の可能性が無いと判定し、新しい登録通知メッセージを用いて前記プロキシモバイルＩＰ登録の処理を行う請求項７記載のモビリティアンカー。
【請求項９】
モビリティアンカーが、アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行う際に、登録通知メッセージを受信した時刻の記録を行ない、
新たに登録通知メッセージを受信した時に、前記記録した登録通知メッセージを前回受信した時刻との差（登録通知メッセージの受信間隔）が予め設定した時間以内であり、かつ、前記アクセスゲートウェイが変わった場合に、前記アクセスゲートウェイの登録を維持したまま、前記登録通知メッセージの順序逆転の可能性判定を行うことを特徴とする登録通知メッセージ順序判定方法。
【請求項１０】
前記モビリティアンカーから生存時間０の登録成功応答を受信した場合に、アクセスゲートウェイが、前記移動端末の接続状態を検出する端末接続状態確認手段により、前記移動端末の端末接続状態確認を行う請求項９記載の登録通知メッセージ順序判定方法。
【請求項１１】
前記アクセスゲートウェイは、ＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使って前記移動端末の応答を検出し、その検出結果に基づいて前記移動端末の接続状態の検出を行う請求項１０記載の登録通知メッセージ順序判定方法。
【請求項１２】
前記モビリティアンカーは、前記登録通知メッセージの受信間隔が設定時間よりも長い場合、順序逆転の可能性が無いと判定し、新しい登録通知メッセージを用いて前記プロキシモバイルＩＰ登録の処理を行う請求項９から請求項１１のいずれか記載の登録通知メッセージ順序判定方法。
【請求項１３】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムであって、  前記モビリティアンカーは、前記登録通知メッセージによって前回登録した時刻の記録及び管理を行いかつ前記登録通知メッセージにて前記プロキシモバイルＩＰ通信におけるプロキシモバイルＩＰ登録を行うプロキシモバイルＩＰ登録手段と連携した前回登録時刻記録・管理手段を有し、
前記モビリティアンカーが、前記登録通知メッセージを受信した時に前記前回登録時刻記録・管理手段に前回記録された登録通知メッセージを受信した時刻との差が設定時間以内でかつ前記アクセスゲートウェイが変わった場合に、前記アクセスゲートウェイの登録を維持したまま、前記登録通知メッセージの順序逆転の可能性判定を行うことを特徴とするプロキシモバイルＩＰシステム。
【請求項１４】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムに用いる登録通知メッセージ順序判定方法であって、
前記モビリティアンカーに、前記登録通知メッセージによって前回登録した時刻の記録及び管理を行いかつ前記登録通知メッセージにて前記プロキシモバイルＩＰ通信におけるプロキシモバイルＩＰ登録を行うプロキシモバイルＩＰ登録手段と連携した前回登録時刻記録・管理手段を設け、
前記モビリティアンカーが、前記登録通知メッセージを受信した時に前記前回登録時刻記録・管理手段に前回記録された登録通知メッセージを受信した時刻との差が設定時間以内でかつ前記アクセスゲートウェイが変わった場合に、前記アクセスゲートウェイの登録を維持したまま、前記登録通知メッセージの順序逆転の可能性判定を行うことを特徴とする登録通知メッセージ順序判定方法。
【発明の詳細な説明】
【技術分野】
【０００１】
（関連出願についての記載）
本願は、先の日本特許出願２００７−２２９６２９号（２００７年  ９月  ５日出願）の優先権を主張するものであり、前記先の出願の全記載内容は、本書に引用をもって繰込み記載されているものとみなされる。
本発明はプロキシモバイルＩＰシステム、アクセスゲートウェイ、モビリティアンカー及びそれらに用いる登録通知メッセージ順序判定方法に関し、特に通信ネットワークを介して移動端末の位置管理を行うプロキシモバイルＩＰ（Ｉｎｔｅｒｎｅｔ  Ｐｒｏｔｏｃｏｌ）通信における登録通知メッセージの順序判定を行うプロキシモバイルＩＰシステムに関する。
【背景技術】
【０００２】
これまでは携帯電話網の方式毎に別々の移動管理制御方式が用いられているが、各方式のパケット網への転換においてＩＰ化が検討されている。また、異なる無線ネットワークメディア間でも相互運用できるような方式が望まれている。【０００３】
そのため、携帯電話網やＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網等の移動管理制御方式についてＩＥＴＦ（Ｉｎｔｅｒｎｅｔ  Ｅｎｇｉｎｅｅｒｉｎｇ  Ｔａｓｋ  Ｆｏｒｃｅ）で標準化を行っているプロキシモバイルＩＰ方式で実現することが検討されている。【０００４】
プロキシモバイルＩＰ方式によるシステムの構成例を図４に示す。図４において、当該システムは、ＭＮ（Ｍｏｂｉｌｅ  Ｎｏｄｅ）５と、ＭＡＧ（Ｍｏｂｉｌｅ  Ａｃｃｅｓｓ  Ｇａｔｅｗａｙ：モバイルアクセスゲートウェイ）（１）６−１，ＭＡＧ（２）６−２と、ＬＭＡ（Ｌｏｃａｌｉｚｅｄ  Ｍｏｂｉｌｉｔｙ  Ａｎｃｈｏｒ：ローカライズドモビリティアンカー）７とから構成されている。ＭＮ５は、ＭＡＧ（１）６−１を経由してＬＭＡ７に接続する無線通信区間Ｒａｄｉｏ１と、ＭＡＧ（２）６−２を経由してＬＭＡ７に接続する無線通信区間Ｒａｄｉｏ２とにて通信が可能となっている。【０００５】
モバイルＩＰ方式は、移動端末が登録通知メッセージを使って移動先のネットワークに依存した気付けアドレスをホームエージェントに登録することにより、ホームエージェントが移動端末のホームアドレス宛のＩＰパケットを気付けアドレスに転送することを実現している。【０００６】
しかしながら、モバイルＩＰ方式を携帯電話網に適用する場合には、移動端末にモバイルＩＰ制御機能が必要であるため、モバイルＩＰ制御機能を持たない移動端末の移動管理を行えないという課題、モバイルＩＰｖ４（Ｉｎｔｅｒｎｅｔ  Ｐｒｏｔｏｃｏｌ  ｖｅｒｓｉｏｎ  ４）のコロケート気付アドレス方式やモバイルＩＰｖ６（Ｉｎｔｅｒｎｅｔ  Ｐｒｏｔｏｃｏｌ  ｖｅｒｓｉｏｎ  ６）方式では、無線通信区間でＩＰカプセル化通信が必要なためにＩＰヘッダ分余計な無線リソースを消費するという課題がある。【０００７】
プロキシモバイルＩＰ方式は、モバイルＩＰ方式の制御プロトコルを利用しながら、移動端末に特別な機能を要求せず、そのため、無線通信区間でＩＰカプセル化通信を発生させることもないという要求を満たすために検討されている。この具体的な方式としては、以下の非特許文献１に記載されている。【０００８】
プロキシモバイルＩＰ方式は、次のように動作する。ホームエージェントと移動端末との間にモバイルアクセスゲートウェイ（ＭＡＧ）を配置する。まず、ＭＡＧは移動端末が配下のアクセスネットワークに移動してきたことを検出すると、移動端末に代わりホームエージェントに対してプロキシモバイルＩＰ方式の登録を行う。ここで、気付けアドレスとしてＭＡＧのＩＰアドレスが用いられる。【０００９】
移動端末のホームアドレス宛のＩＰパケットは、ホームエージェントとＭＡＧとの間に確立されるＩＰカプセル化通信を使ってホームエージェントからＭＡＧに転送される。ＭＡＧは移動端末宛のＩＰパケットを取出し、ＭＡＧと移動端末との間の無線リンク通信手段を用いて移動端末に転送する。【００１０】
移動端末が別の新たなＭＡＧの配下に移動した際のハンドオーバ処理では、新たなＭＡＧが移動端末の移動を検出してホームエージェントに対してプロキシモバイルＩＰ方式の登録を行う。別々のＭＡＧが移動端末の代わりにホームエージェントに登録する方式であるため、登録通知メッセージの送信元が複数存在することになる。【００１１】
それぞれのＭＡＧとホームエージェントとの間の伝送遅延が異なるために、古いＭＡＧと新しいＭＡＧとからの登録通知メッセージの順番が逆転してホームエージェントに到達する場合があり、古いＭＡＧからの登録通知メッセージがあとに届くと、新しいＭＡＧにＩＰパケットが到達しなくなるという課題が知られている。【００１２】
モバイルＩＰ方式では、移動端末がシーケンス番号を登録通知メッセージに付与することにより、順序逆転問題を回避しているが、プロキシモバイルＩＰ方式では、全域的にシーケンス番号を管理する仕組みが実現できないため、順序逆転問題が課題となっている。【００１３】
そこで、ＩＥＴＦのＮＥＴＬＭＭ  ＷＧ（Ｎｅｔｗｏｒｋ−Ｂａｓｅｄ  Ｌｏｃａｌｉｚｅｄ  Ｍｏｂｉｌｉｔｙ  Ｍａｎａｇｅｍｅｎｔ  Ｗｏｒｋｉｎｇ  Ｇｒｏｕｐ）では、登録通知メッセージの順序判定を行うためにいくつかの解決方法が検討されている（図５参照）。下記の非特許文献２には、具体的な５つの解決方法案が提案されている。【００１４】
第１の解決方法案では、複数のＭＡＧが時刻サーバを使って時刻同期をしておき、登録通知メッセージに時刻情報を付加する。ホームエージェントは登録通知メッセージの時刻情報を基に順序判定を行う。これには高精度の時間同期が必要になるという課題がある。【００１５】
第２の解決方法案では、新しいＭＡＧからの登録通知メッセージを処理した後、一定時間内に古いＭＡＧからの登録通知メッセージが到達するかどうかを検出し、１回目だけ古いＭＡＧからの要求を破棄する。これには古いＭＡＧの再送タイマ処理に依存していて処理時間がかかるという課題と、新しいＭＡＧからの登録通知メッセージであれば優先してしまうという課題とがある。【００１６】
第３の解決方法案では、第２の解決方法案の古いＭＡＧの再送処理に依存しているという課題を解決するために、新しいＭＡＧからの登録通知メッセージを処理した後、一定時間内に古いＭＡＧからの登録通知メッセージが到達するかどうかを検出し、１回目だけホームエージェントが明示的にエラーを返し、古いＭＡＧは移動端末が配下に接続しているならば再度登録を行う。これには新しいＭＡＧからの登録通知メッセージであれば優先してしまうという課題が残っている。【００１７】
第４の解決方法案では、新しいＭＡＧが無線リンク確立処理時に最初の登録を行い、最初の登録が成功した後にもう一度登録を行うという、２回の登録通知メッセージを送信する方法である。これは余計な登録パケットが必要になるという課題がある。【００１８】
第５の解決方法案では、新しいＭＡＧからの最初の登録通知メッセージに対してホームエージェントがエラーで応答し、同時に正しいシーケンス番号を新しいＭＡＧに通知する。新しいＭＡＧは再度正しいシーケンス番号を用いて登録を行う。これは余計な登録パケットが必要になるという課題がある。【００１９】
図７においては、ＭＡＧ１とＭＡＧ２とからＬＭＡに登録要求を出すと、この登録要求の結果、ＭＡＧ−ＬＭＡ間でＩＰトンネルが作成され、ＩＰパケットがカプセル化されて転送される。ＬＭＡから転送されたカプセル化されたＩＰパケットは、ＭＡＧでデカプセル化の処理後、移動端末（ＭＮ）に転送される。移動端末からのパケットは、上記とは逆の手順でＬＭＡに到達する。【００２０】
【非特許文献１】“Ｐｒｏｘｙ  Ｍｏｂｉｌｅ  ＩＰｖ６  ｄｒａｆｔ−ｉｅｔｆ  −ｎｅｔｌｍｍ−ｐｒｏｘｙｍｉｐ６−０１．ｔｘｔ”（ＮＥＴＬＭＭ  ＷＧ，Ｊｕｎｅ  １９，２００７）（ｈｔｔｐ：／／ｗｗｗ．ｉｅｔｆ．ｏｒｇ／ｉｎｔｅｒｎｅｔ−ｄｒａｆｔｓ／ｄｒａｆｔ−ｉｅｔｆ−ｎｅｔｌｍｍ−ｐｒｏｘｙｍｉｐ６−０１．ｔｘｔ）
【非特許文献２】“［ｎｅｔｌｍｍ］  Ｉｓｓｕｅ：Ｔｉｍｅｓｔａｍｐ  ｖｓ  Ｓｅｑｕｅｎｃｅ  Ｎｕｍｂｗｅ  ｂａｓｅｄ  ｌｏｇｉｃ”（ｈｔｔｐ：／／ｗｗｗ１．ｉｅｔｆ．ｏｒｇ／ｍａｉｌ−ａｒｃｈｉｖｅ／ｗｅｂ／ｎｅｔｌｍｍ／ｃｕｒｒｅｎｔ／ｍｓｇ０２１０６．ｈｔｍｌ）
【発明の開示】
【発明が解決しようとする課題】
【００２１】
非特許文献１及び２の開示事項は、本書に引用をもって繰り込み記載されているものとする。以下の分析は、本発明によって与えられたものである。
本発明に関連するプロキシモバイルＩＰ方式では、ホームエージェントでＭＡＧから送信された登録通知メッセージの順序判定ができないため、遅れて到達した登録通知メッセージが最後に処理され、古いＭＡＧ宛の登録を行っている。【００２２】
そのため、本発明に関連するプロキシモバイルＩＰ方式では、移動端末の移動により複数のＭＡＧ間をハンドオーバする際に、それぞれのホームエージェントまでの通信経路の伝送遅延が異なり、新しいＭＡＧとホームエージェントとの間の伝送遅延が、それぞれのＭＡＧが登録通知メッセージを送信した時刻差の分だけ古いＭＡＧとホームエージェントとの間の伝送遅延よりも長いと、新しいＭＡＧに移動した移動端末が通信できなくなる（図６参照）。【００２３】
図６においては、無線通信区間Ｒａｄｉｏ１と無線通信区間Ｒａｄｉｏ２との切替時刻差をｔとし、無線通信区間Ｒａｄｉｏ１とＭＡＧ１との間の伝送時間をＲＭ１とし、無線通信区間Ｒａｄｉｏ２とＭＡＧ２との間の伝送時間をＲＭ２とし、ＭＡＧ１とＬＭＡとの間の伝送時間をＭＬ１とし、ＭＡＧ２とＬＭＡとの間の伝送時間をＭＬ２とした場合の登録通知メッセージの順序逆転の発生を示している。【００２４】
最初、ＭＮは無線通信区間Ｒａｄｉｏ１を使って通信を行っており、ｔ時間後に無線通信区間Ｒａｄｉｏ２を使って通信を開始する。この場合、パターンｃ１では、無線通信区間Ｒａｄｉｏ１とＭＡＧ１との間の伝送時間ＲＭ１が、無線通信区間Ｒａｄｉｏ２とＭＡＧ２との間の伝送時間ＲＭ２とｔ時間との和よりも大きければ［ＲＭ１＞（ＲＭ２＋ｔ），ＭＬ１＝ＭＬ２］、登録通知メッセージの順序逆転が発生することを示している。【００２５】
パターンｃ２では、無線通信区間Ｒａｄｉｏ１とＭＡＧ１との間の伝送時間ＲＭ１が、無線通信区間Ｒａｄｉｏ２とＭＡＧ２との間の伝送時間ＲＭ２とｔ時間との和よりも小さいため［ＲＭ１＜（ＲＭ２＋ｔ），ＭＬ１＝ＭＬ２］、登録通知メッセージの順序逆転が発生しないことを示している。【００２６】
パターンｃ３では、ＭＡＧ１とＬＭＡとの間の伝送時間ＭＬ１が、ＭＡＧ２とＬＭＡとの間の伝送時間ＭＬ２とｔ時間との和よりも大きければ［ＲＭ１＝ＲＭ２，ＭＬ１＞（ＭＬ２＋ｔ）］、登録通知メッセージの順序逆転が発生することを示している。【００２７】
パターンｃ４では、ＭＡＧ１とＬＭＡとの間の伝送時間ＭＬ１が、ＭＡＧ２とＬＭＡとの間の伝送時間ＭＬ２とｔ時間との和よりも小さいため［ＲＭ１＝ＲＭ２，ＭＬ１＜（ＭＬ２＋ｔ）］、登録通知メッセージの順序逆転が発生しないことを示している。【００２８】
ここで、ＭＡＧ１とＭＡＧ２との時刻同期が正確であれば、パターンｃ３における登録通知メッセージの順序逆転を検出することができるが、パターンｃ１における登録通知メッセージの順序逆転を検出することはできない。【００２９】
また、本発明に関連するプロキシモバイルＩＰ方式では、ＭＡＧのアドレスが更新されてからタイマ処理を行うため、ＬＭＡにとって新しいＭＡＧからの登録通知メッセージであれば、それを優先して登録してしまうため、上述した第２の解決方法案または第３の解決方法案で、３台以上のＭＡＧを短時間に切替えた場合に、２台目のＭＡＧ〜ＬＭＡ間の伝送遅延が３台目のＭＡＧ〜ＬＭＡ間の伝送遅延よりも長いと３台目のＭＡＧに移動した移動端末が通信できなくなる（図７参照）。【００３０】
そこで、本発明の目的は上記の問題点を解消し、３台以上のＭＡＧを短時間に切替えても、登録通知メッセージの到達順序の逆転問題を解決することができるプロキシモバイルＩＰシステム、アクセスゲートウェイ、モビリティアンカー及びそれらに用いる登録通知メッセージ順序判定方法を提供することにある。
【課題を解決するための手段】
【００３１】
本発明の第１の視点によれば、下記手段により登録通知メッセージ順序判定を行うプロキシモバイルＩＰ（Ｉｎｔｅｒｎｅｔ  Ｐｒｏｔｏｃｏｌ）システム及びその構成機器が提供される。モビリティアンカーは、アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行うプロキシモバイルＩＰ登録手段と、前記登録通知メッセージによって前回登録した時刻の記録及び管理を行なう前回登録時刻記録・管理手段と、を備える。前記モビリティアンカーは、新たに登録通知メッセージを受信した時に、前記前回登録時刻記録・管理手段に記録された登録通知メッセージを受信した時刻との差（登録通知メッセージの受信間隔）が予め設定した時間以内であり、かつ、前記アクセスゲートウェイが変わった場合に、前記アクセスゲートウェイの登録を維持したまま、前記登録通知メッセージの順序逆転の可能性判定を行う。【００３２】
本発明の第２の視点によれば、下記手順によりプロキシモバイルＩＰ（Ｉｎｔｅｒｎｅｔ  Ｐｒｏｔｏｃｏｌ）通信における登録通知メッセージの順序判定を行う登録通知メッセージ順序判定方法が提供される。モビリティアンカーは、アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行う際に、登録通知メッセージを受信した時刻の記録を行なう。更に、前記モビリティアンカーは、新たに登録通知メッセージを受信した時に、前記記録した登録通知メッセージを前回受信した時刻との差（登録通知メッセージの受信間隔）が予め設定した時間以内であり、かつ、前記アクセスゲートウェイが変わった場合に、前記アクセスゲートウェイの登録を維持したまま、前記登録通知メッセージの順序逆転の可能性判定を行う。【００３３】
本発明の第３の視点によれば、モビリティアンカーが下記手段を備えて、通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定を行うプロキシモバイルＩＰシステムが提供される。
前記モビリティアンカーは、前記登録通知メッセージによって前回登録した時刻の記録及び管理を行いかつ前記登録通知メッセージにて前記プロキシモバイルＩＰ通信におけるプロキシモバイルＩＰ登録を行うプロキシモバイルＩＰ登録手段と連携した前回登録時刻記録・管理手段を備える。
前記モビリティアンカーは、前記登録通知メッセージを受信した時に前記前回登録時刻記録・管理手段に前回記録された登録通知メッセージを受信した時刻との差が設定時間以内でかつ前記アクセスゲートウェイが変わった場合に、前記アクセスゲートウェイの登録を維持したまま、前記登録通知メッセージの順序逆転の可能性判定を行なう。【００３４】
本発明の第４の視点によれば、上記時刻情報取得・管理手段を備え、前記登録通知メッセージの順序逆転の可能性判定を行なうモビリティアンカーが提供される。【００３５】
本発明の第５の視点によれば、プロキシモバイルＩＰシステムのモビリティアンカーが下記手段を備えて、プロキシモバイルＩＰ通信におけるアクセスゲートウェイからの登録通知メッセージの順序判定を行うプロキシモバイルＩＰシステムが提供される。
前記モビリティアンカーに、前記登録通知メッセージによって前回登録した時刻の記録及び管理を行いかつ前記登録通知メッセージにて前記プロキシモバイルＩＰ通信におけるプロキシモバイルＩＰ登録を行うプロキシモバイルＩＰ登録手段と連携した前回登録時刻記録・管理手段を設ける。
前記モビリティアンカーが、前記登録通知メッセージを受信した時に前記前回登録時刻記録・管理手段に前回記録された登録通知メッセージを受信した時刻との差が設定時間以内でかつ前記アクセスゲートウェイが変わった場合に、前記アクセスゲートウェイの登録を維持したまま、前記登録通知メッセージの順序逆転の可能性判定を行なう。
【発明の効果】
【００３６】
本発明は、上記のような構成及び動作とすることで、３台以上のＭＡＧを短時間に切替えても、登録通知メッセージの到達順序の逆転問題を解決することができるという効果が得られる。
【図面の簡単な説明】
【００３７】
【図１】本発明の実施の形態によるプロキシモバイルＩＰシステムの構成例を示すブロック図である。
【図２】本発明の実施の形態による順序判定処理を示すシーケンスチャートである。
【図３】本発明の実施の形態による順序判定処理を示すシーケンスチャートである。
【図４】本発明に関連するプロキシモバイルＩＰ方式のシステムの構成例を示すブロック図である。
【図５】本発明に関連するプロキシモバイルＩＰ方式の概要を示す図である。
【図６】本発明に関連するプロキシモバイルＩＰ方式の問題を説明するための図である。
【図７】本発明に関連する解決方法案の課題を説明するための図である。
【符号の説明】
【００３８】
１  ＭＮ
２  ＭＡＧ
３  ＬＭＡ
４  無線ＡＰ
１１  無線通信部
１２，２１  リンク層制御部
１３  ＴＣＰ／ＩＰ部
２２，３１  ＰＭＩＰ登録部
２３  応答確認部
２４  端末接続状態確認部
２５，３４  ルーティング部
２６，３３  パケットカプセル化部
３２  前回登録時刻記録・管理部
【発明を実施するための最良の形態】
【００３９】
次に、本発明の実施の形態について図面を参照して説明する。図１は本発明の実施の形態によるプロキシモバイルＩＰシステムの構成例を示すブロック図である。図１において、本発明の実施の形態によるプロキシモバイルＩＰシステムは、ＭＮ（Ｍｏｂｉｌｅ  Ｎｏｄｅ）１と、ＭＡＧ（Ｍｏｂｉｌｅ  Ａｃｃｅｓｓ  Ｇａｔｅｗａｙ：モバイルアクセスゲートウェイ）２と、ＬＭＡ（Ｌｏｃａｌｉｚｅｄ  Ｍｏｂｉｌｉｔｙ  Ａｎｃｈｏｒ：ローカライズドモビリティアンカー）３と、無線ＡＰ（Ａｃｃｅｓｓ  Ｐｏｉｎｔ）４とから構成されている。【００４０】
ＭＮ１は、無線通信部１１と、リンク層制御部１２と、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）部１３とから構成されている。【００４１】
ＭＡＧ２は、リンク層制御部２１と、登録通知メッセージにてプロキシモバイルＩＰ通信におけるプロキシモバイルＩＰ登録を行うＰＭＩＰ（Ｐｒｏｘｙ  Ｍｏｂｉｌｅ  ＩＰ）登録部２２と、ＬＭＡ３からの応答を確認する応答確認部２３と、移動端末（ＭＮ１）の接続状態の検出を行う端末接続状態確認部２４と、ルーティング部２５と、パケットカプセル化部２６とから構成されている。【００４２】
ＬＭＡ３は、登録通知メッセージにてプロキシモバイルＩＰ通信におけるプロキシモバイルＩＰ登録を行うＰＭＩＰ登録部３１と、登録通知メッセージによって前回登録した時刻の記録及び管理を行う前回登録時刻記録・管理部３２と、パケットカプセル化部３３と、ルーティング部３４とから構成されている。【００４３】
本実施の形態では、ＭＡＧ２のリンク層制御部２１、ＰＭＩＰ登録部２２、応答確認部２３を拡張し、端末接続状態確認部２４を持たせるとともに、ＬＭＡ３のＰＭＩＰ登録部３１を拡張し、前回登録時刻記録・管理部３２を持たせている。【００４４】
図２及び図３は本発明の実施の形態による順序判定処理を示すシーケンスチャートである。図２には、登録通知メッセージが順序逆転した場合の処理を示している。尚、ＭＮ１〜ＭＡＧ２間で既存認証手順を用いて接続処理が行われるが、ここでは省略する。【００４５】
尚、本発明の実施の形態によるプロキシモバイルＩＰシステムでは、図示していないが、上記の構成のＭＮ１と、ＭＡＧ２と、ＬＭＡ３と、無線ＡＰ４とによって、図４に示す本発明に関連するプロキシモバイルＩＰ方式のシステムと同様の構成をとっている。この場合、２台のＭＡＧ２をＭＡＧ（１）２−１，ＭＡＧ（２）２−２とする。【００４６】
ＭＮ１がＭＡＧ（１）２−１と認証後（図２のａ１）、ＭＡＧ（１）２−１がＰｒｏｘｙ  Ｂｉｎｄｉｎｇ  ＵｐｄａｔｅをＬＭＡ３に送信する（図２のａ５）。短時間にＭＮ１がＭＡＧ（１）２−１との接続を切り、ＭＡＧ（２）２−２と認証後（図２のａ２）、ＭＡＧ２がＰｒｏｘｙ  Ｂｉｎｄｉｎｇ  ＵｐｄａｔｅをＬＭＡ３に送信する（図２のａ３）。【００４７】
ＭＡＧ（１）２−１〜ＬＭＡ３間の伝送遅延とＭＡＧ（２）２−２〜ＬＭＡ３間の伝送遅延との関係から、ＭＡＧ（２）２−２からのＰｒｏｘｙ  Ｂｉｎｄｉｎｇ  Ｕｐｄａｔｅが先にＬＭＡ３に到達すると、ＬＭＡ３はＭＡＧ（２）２−２をＭＮ１のアクセスゲートウェイとして登録し、その時の受信時刻Ｔ１を保存する。【００４８】
その後、ＭＡＧ（１）２−１からのＰｒｏｘｙ  Ｂｉｎｄｉｎｇ  ＵｐｄａｔｅがＬＭＡ３に到達した場合、その時の受信時刻Ｔ２と保存してある受信時刻Ｔ１とを比較した差分がＴ０かつＭＡＧの変更の条件にあたるので、順序逆転の可能性を検出する。【００４９】
ＬＭＡ３はＭＡＧ（２）２−２の登録を維持したまま、ＭＡＧ（１）２−１に移動端末の状態確認をさせるため、Ｐｒｏｘｙ  Ｂｉｎｄｉｎｇ  Ａｃｋｎｏｗｌｅｄｇｅｍｅｎｔを使ってエラーを応答し（図２のａ６）、受信時刻Ｔ２とＭＡＧ（１）２−１のアドレスとを保存する。【００５０】
ＭＡＧ（１）２−１ではＭＮ１の接続状態の検出を行う。ここでは、既存のＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使ってＭＮ１の応答を待つ（図２のａ７，ａ８）。ＭＮ１からの応答が無い場合にはタイムアウトとなり、ＭＡＧ（１）２−１は処理を終了する（図２のａ９）。ＬＭＡ３にはＭＡＧ（２）２−２の登録状態が残る。【００５１】
図３には、順序逆転ではないが、短時間に登録通知メッセージを受信した場合の処理を示している。図３の処理が図２の処理と異なるのは、再認証開始からの部分であり、ＭＮ１が接続状態にあるので、ＥＡＰ  Ｒｅｓｐｏｎｓｅ／ＩｄｅｎｔｉｔｙをＭＡＧ（２）２−２に応答する（図３のｂ１〜ｂ９）。【００５２】
ＭＡＧ（２）２−２は、ＥＡＰ  ＳｕｃｃｅｓｓをＭＮ１に送信し（図３のｂ１０）、再認証を終了する（図３のｂ１１）。再認証が成功したＭＡＧ（２）２−２は、ＬＭＡ３にＰｒｏｘｙ  Ｂｉｎｄｉｎｇ  Ｕｐｄａｔｅを再度送信する（図３のｂ１２）。【００５３】
ＬＭＡ３は、保存していたＭＡＧ（２）２−２のアドレスからＭＡＧ（２）２−２からの再送であることを検出すると、ＭＡＧ（２）２−２をＭＮ１のアクセスゲートウェイとして登録し、受信時刻Ｔ３を保存する。ＬＭＡ３にはＭＡＧ（２）２−２の登録状態が残る。【００５４】
ＬＭＡ３は、登録通知メッセージの受信間隔が設定時間よりも長い場合、順序逆転の可能性が無いと判定し、新しい登録通知メッセージを用いて登録処理を行う。【００５５】
このように、本実施の形態では、毎回登録通知メッセージを受信した時刻を記録し、新しい登録通知メッセージについて到達順序の逆転の可能性を判定し、設定時間よりも登録通知メッセージ間の時間が長い場合に到達順序の逆転の可能性がないと判定している。よって、本実施の形態では、ＬＭＡ３とＭＡＧ２とにおける機能追加だけで、上記の課題を解決することができるため、既存の移動端末（ＭＮ１）に機能追加をする必要がなく、ＬＭＡ３の時刻情報を用いるだけなので、高精度の時刻同期機能を導入する必要がない。【００５６】
すなわち、本実施の形態では、毎回登録通知メッセージを受信した時刻を記録し、前回の受信時刻と比較した結果が設定時間よりも短い場合に順序逆転の可能性を検出し、新しい登録通知メッセージだからといって優先しないため、３台以上のＭＡＧを短時間に切替えても、登録通知メッセージの到達順序の逆転問題を解決することができる。【００５７】
また、本実施の形態では、受信時刻の差分が設定時間より長い場合に順序逆転の可能性がないと判定するため、登録通知メッセージの到達順序の逆転問題を解決するためのネットワークのオーバヘッドを小さくすることができる。【００５８】
さらに、本実施の形態では、ＬＭＡ３とＭＡＧ２とにおける機能追加だけしか必要とせず、ＭＮ１〜ＭＡＧ２間の動作として既存方式を利用しているので、既存の移動端末（ＭＮ１）に機能追加せずにＭＡＧ切替え時の登録通知メッセージの到達順序の逆転問題を解決することができる。【００５９】
さらにまた、本実施の形態では、時刻情報としてＬＭＡ３のものだけしか用いないため、高精度のＭＡＧ間の時刻同期を必要とせずに、移動端末（ＭＮ１）のＭＡＧ切替え時にＬＭＡ３で登録通知メッセージの順序逆転を検出することができる。【００６０】
上記のように、本発明は、上述した本発明に関連するプロキシモバイルＩＰ方式の不都合を改善し、特にプロキシモバイルＩＰ通信における登録通知メッセージの順序判定において、ＬＭＡ３において登録通知メッセージの受信時刻を比較することと、ＭＡＧ２においてＭＮ１の接続状態の確認を行うことによって、順序判定を行うことによって、上述した効果を奏する。【００６１】
すなわち、本発明は、ＬＭＡ３において登録通知メッセージの受信時刻を記録しておき、前回受信した時刻との差が設定時間よりも短いかどうかと、ＭＡＧ２の変更とを判定することによって、順序逆転の可能性を検出する。この後に、本発明では、順序逆転の可能性を検出した場合、現在のＭＡＧ２の登録を維持したまま、新たなＭＡＧ２に移動端末（ＭＮ１）の接続確認を行い、接続している場合だけ、ＭＡＧ２が登録通知メッセージの再送処理を行うことによって、新たな登録処理を完了する。【００６２】
尚、ＭＡＧ２の端末接続状態確認部２４は、リンク層に依存した方式を用いてＭＮ１の状態を確認してもよい。例えば、ＭＡＧ２が無線ＬＡＮ（Ｌｏｃａｌ  Ａｒｅａ  Ｎｅｔｗｏｒｋ）基地局と連携した実装を持ち、ＭＮ１宛のユニキャストパケットを送信し、無線ＬＡＮのＭＡＣ（Ｍｅｄｉａ  Ａｃｃｅｓｓ  Ｃｏｎｔｒｏｌ）層の到達確認の有無を確認する方法を用いてもよい。【００６３】
また、移動端末の接続状態を確認するためにＬＭＡ３からＭＡＧ２に送信するＰｒｏｘｙ  Ｂｉｎｄｉｎｇ  Ａｃｋｎｏｗｌｅｄｇｅｍｅｎｔは、特別なエラーコードが割り当てられていない場合に、Ｌｉｆｅｔｉｍｅ＝０の登録成功として通知してもよい。
本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2009031617.tif 000003
【図２】
2009031617.tif 000004
【図３】
2009031617.tif 000005
【図４】
2009031617.tif 000006
【図５】
2009031617.tif 000007
【図６】
2009031617.tif 000008
【図７】
2009031617.tif 000009
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
モビリティアンカーが、
アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行うプロキシモバイルＩＰ登録手段と、
前記登録通知メッセージによって前回登録した時刻の記録及び管理を行なう前回登録時刻記録・管理手段と、を備え、
前記モビリティアンカーは、新たに登録通知メッセージを受信した時に、前記前回登録時刻記録・管理手段に記録された登録通知メッセージを受信した時刻との差（登録通知メッセージの受信間隔）が予め設定した時間以内であり、かつ、前記アクセスゲートウェイが変わった場合に、前記登録通知メッセージの順序逆転の可能性判定を行うことを特徴とするプロキシモバイルＩＰシステム。
【請求項２】
アクセスゲートウェイが、前記移動端末の接続状態の検出を行なう端末接続状態確認手段を備え、
前記アクセスゲートウェイは、前記モビリティアンカーから、端末接続状態確認の通知を受信した場合に、前記移動端末の端末接続状態確認を行う請求項１記載のプロキシモバイルＩＰシステム。
【請求項３】
前記端末接続状態確認手段は、ＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使って前記移動端末の応答を検出し、その検出結果に基づいて前記移動端末の接続状態の検出を行う請求項２記載のプロキシモバイルＩＰシステム。
【請求項４】
前記モビリティアンカーは、前記登録通知メッセージの受信間隔が前記予め設定した時間よりも長い場合、順序逆転の可能性が無いと判定し、新しい登録通知メッセージを用いて前記プロキシモバイルＩＰ登録の処理を行う請求項１から請求項３のいずれか記載のプロキシモバイルＩＰシステム。
【請求項５】
移動端末の接続状態の検出を行なう端末接続状態確認手段を備え、
モビリティアンカーから、端末接続状態確認の通知を受信した場合に、前記移動端末の端末接続状態確認を行うアクセスゲートウェイ。
【請求項６】
前記端末接続状態確認手段は、ＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使って前記移動端末の応答を検出し、その検出結果に基づいて前記移動端末の接続状態の検出を行う請求項５記載のアクセスゲートウェイ。
【請求項７】
アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行うプロキシモバイルＩＰ登録手段と、
前記登録通知メッセージによって前回登録した時刻の記録及び管理を行なう前回登録時刻記録・管理手段と、を備え、
新たに登録通知メッセージを受信した時に、前記前回登録時刻記録・管理手段に記録された登録通知メッセージを受信した時刻との差（登録通知メッセージの受信間隔）が予め設定した時間以内であり、かつ、前記アクセスゲートウェイが変わった場合に、前記登録通知メッセージの順序逆転の可能性判定を行うモビリティアンカー。
【請求項８】
前記登録通知メッセージの受信間隔が前記予め設定した時間よりも長い場合、順序逆転の可能性が無いと判定し、新しい登録通知メッセージを用いて前記プロキシモバイルＩＰ登録の処理を行う請求項７記載のモビリティアンカー。
【請求項９】
モビリティアンカーが、アクセスゲートウェイからの登録通知メッセージによってプロキシモバイルＩＰ（Ｉｎｔｅｒｎｅｔ  Ｐｒｏｔｏｃｏｌ）通信におけるプロキシモバイルＩＰ登録を行う際に、登録通知メッセージを受信した時刻の記録を行ない、
新たに登録通知メッセージを受信した時に、前記記録した登録通知メッセージを前回受信した時刻との差（登録通知メッセージの受信間隔）が予め設定した時間以内であり、かつ、前記アクセスゲートウェイが変わった場合に、前記登録通知メッセージの順序逆転の可能性判定を行うことを特徴とする登録通知メッセージ順序判定方法。
【請求項１０】
前記モビリティアンカーから端末接続状態確認の通知を受信した場合に、アクセスゲートウェイが、前記移動端末の接続状態を検出する端末接続状態確認手段により、前記移動端末の端末接続状態確認を行う請求項９記載の登録通知メッセージ順序判定方法。
【請求項１１】
前記アクセスゲートウェイは、ＥＡＰ（Ｅｘｔｅｎｓｉｂｌｅ  Ａｕｔｈｅｎｔｉｃａｔｉｏｎ  Ｐｒｏｔｏｃｏｌ）認証のＥＡＰ  Ｒｅｑｕｅｓｔ／Ｉｄｅｎｔｉｔｙを使って前記移動端末の応答を検出し、その検出結果に基づいて前記移動端末の接続状態の検出を行う請求項１０記載の登録通知メッセージ順序判定方法。
【請求項１２】
前記モビリティアンカーは、前記登録通知メッセージの受信間隔が設定時間よりも長い場合、順序逆転の可能性が無いと判定し、新しい登録通知メッセージを用いて前記プロキシモバイルＩＰ登録の処理を行う請求項９から請求項１１のいずれか記載の登録通知メッセージ順序判定方法。
【請求項１３】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムであって、前記モビリティアンカーは、前記登録通知メッセージによって前回登録した時刻の記録及び管理を行いかつ前記登録通知メッセージにて前記プロキシモバイルＩＰ通信におけるプロキシモバイルＩＰ登録を行うプロキシモバイルＩＰ登録手段と連携した前回登録時刻記録・管理手段を有し、
前記モビリティアンカーが、前記登録通知メッセージを受信した時に前記前回登録時刻記録・管理手段に前回記録された登録通知メッセージを受信した時刻との差が設定時間以内でかつ前記アクセスゲートウェイが変わった場合に、前記登録通知メッセージの順序逆転の可能性判定を行うことを特徴とするプロキシモバイルＩＰシステム。
【請求項１４】
通信ネットワークを介して移動端末の位置管理を行うプロキシモバイルＩＰ（Ｉｎｔｅｒｎｅｔ  Ｐｒｏｔｏｃｏｌ）通信におけるアクセスゲートウェイからの登録通知メッセージの順序判定をモビリティアンカーにて行うプロキシモバイルＩＰシステムに用いる登録通知メッセージ順序判定方法であって、
前記モビリティアンカーに、前記登録通知メッセージによって前回登録した時刻の記録及び管理を行いかつ前記登録通知メッセージにて前記プロキシモバイルＩＰ通信におけるプロキシモバイルＩＰ登録を行うプロキシモバイルＩＰ登録手段と連携した前回登録時刻記録・管理手段を設け、
前記モビリティアンカーが、前記登録通知メッセージを受信した時に前記前回登録時刻記録・管理手段に前回記録された登録通知メッセージを受信した時刻との差が設定時間以内でかつ前記アクセスゲートウェイが変わった場合に、前記登録通知メッセージの順序逆転の可能性判定を行うことを特徴とする登録通知メッセージ順序判定方法。
【請求項１５】
前記端末接続状態確認手段が前記移動端末の接続状態を検出した場合、前記アクセスゲートウェイは、再度登録通知メッセージを送信する請求項２記載のプロキシモバイルＩＰシステム。
【請求項１６】
前記端末接続状態確認手段が前記移動端末の接続状態を検出した場合、前記アクセスゲートウェイは、再度登録通知メッセージを送信する請求項５記載のアクセスゲートウェイ。
【請求項１７】
前記端末接続状態確認手段が、前記移動端末の接続状態を検出した場合に、再度登録通知メッセージを送信する請求項１０記載の登録通知メッセージ順序判定方法。
【国際調査報告】
2009031617.tif 000010
2009031617.tif 000011
2009031617.tif 000012